【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
Ｘ線胸部撮像システムであって、
圧迫パドルであって、
撮像の間、患者の胸壁に隣接かつ対面するように構成される前壁と、
前記患者の胸壁から離れるように延在し、圧迫された胸部の上部の長さに隣接するように構成される底壁であって、前記底壁は、中心部および２つの外側縁部を備え、前記中心部は、前記２つの外側縁部と同一平面上になく、前記圧迫パドルは、移動可能である、底壁と、
前記前壁に略直交している第１の軸と、
を備える、圧迫パドルを備える、システム。
【請求項２】
前記２つの外側縁部は、基準平面を画定し、前記中心部は、第１の外側縁部から、前記中心部の方へ第２の外側縁部まで延在する凹面表面を画定するように、前記基準平面の上方に配置される、請求項１に記載のＸ線胸部撮像システム。
【請求項３】
前記圧迫パドルはさらに、前記前壁に対向して配置される後壁を備え、前記底壁の前記中心部は、傾斜表面を備え、前記中心部と前記前壁に近接する前記基準平面との間の第１の距離は、中心部と前記後壁に近接する前記基準平面との間の第２の距離より大きい、請求項１〜２のいずれか１項に記載のＸ線胸部撮像システム。
【請求項４】
前記底壁の前記中心部は、前記前壁に近接する高点から前記第１の軸に沿って傾斜される、請求項１〜３のいずれか１項に記載のＸ線胸部撮像システム。
【請求項５】
胸部プラットフォームをさらに備え、
前記圧迫パドルは、
前記圧迫された胸部が前記圧迫パドルと前記胸部プラットフォームとの間に配置される圧迫位置と、
前記圧迫された胸部が前記圧迫パドルと前記胸部プラットフォームとの間に配置されない非圧迫位置とに配置されるように適合されており、
前記底壁は、前記圧迫位置と非圧迫位置との両方において実質的に類似する輪郭を備える、請求項１〜４のいずれか１項に記載のＸ線胸部撮像システム。
【請求項６】
前記中心部と前記基準平面との間の距離が、前記圧迫位置と前記非圧迫位置との両方において実質的に同一である、請求項４に記載のＸ線胸部撮像システム。
【請求項７】
Ｘ線胸部撮像システムであって、
前壁、底壁、および前記前壁と前記底壁との間の中間部を備える圧迫パドルであって、前記前壁は、撮像の間、患者の胸壁に隣接かつ対面するように構成され、前記底壁は、圧迫された胸部の上部の長さに隣接するように構成され、前記底壁は、前記患者の胸壁から離れるように延在し、前記中間部は、前記前壁および前記底壁と略同一平面上になく、前記圧迫パドルは、頭尾軸に沿って移動可能である、圧迫パドルと、
前記圧迫パドルに離脱可能に固着される非剛性ジャケットであって、前記圧迫パドルと前記患者との間に位置付けられる、非剛性ジャケットと、
を備える、Ｘ線胸部撮像システム。
【請求項８】
前記中間部は、略平滑曲面の半径を備える、請求項１〜７のいずれか１項に記載のＸ線胸部撮像システム。
【請求項９】
前記中間部の高さが、前記底壁の高さよりも高くはない、請求項１〜８のいずれか１項に記載のＸ線胸部撮像システム。
【請求項１０】
前記中間部の高さは、前記中間部が前記底壁と比較して前記圧迫された胸部により近接するように、前記底壁の高さよりも高い、請求項７に記載のＸ線胸部撮像システム。
【請求項１１】
前記底壁は、前記圧迫された胸部に対して凹面部および凸面部を有する、請求項７および１０のいずれか１項に記載のＸ線胸部撮像システム。
【請求項１２】
前記凸面部は、前記底壁が前記中間部に衝合する場所である、請求項１１に記載のＸ線胸部撮像システム。
【請求項１３】
前記中間部は、ある半径を有する曲面を備える、請求項７および１０〜１２のいずれか１項に記載のＸ線胸部撮像システム。
【請求項１４】
前記前壁は、垂直からわずかにずれた角度にある、請求項１〜１３のいずれか１項に記載のＸ線胸部撮像システム。
【請求項１５】
Ｘ線胸部撮像からのＸ線で患者の胸部を撮像する方法であって、
前記胸部の底部を胸部プラットフォーム上に支持することと、
圧迫パドルシステムを前記胸部の上部に適用させることによって、前記胸部を圧迫することであって、前記圧迫パドルシステムは、前壁および底壁を有するパドルと、前記パドルに結合される非剛性ジャケットとを備え、前記前壁は、撮像の間、患者の胸壁に隣接かつ対面するように構成され、前記底壁は、圧迫された胸部の上部の長さに隣接するように構成され、前記底壁は、前記患者の胸壁から離れるように延在し、前記底壁は、第１の部分および第２の部分を含み、前記第２の部分が前記前壁と前記第１の部分との間にあり、前記第１の部分は、前記第２の部分と略同一平面上になく、前記圧迫パドルは、頭尾軸に沿ってのみ移動可能であり、前記非剛性ジャケットは、前記圧迫パドルと前記胸部との間に位置付けられる、ことと、
を含む、方法。
【請求項１６】
前記非剛性ジャケットは、膨張可能ジャケットである、請求項１５に記載の方法。
【請求項１７】
前記胸部を圧迫することの後に、前記圧迫された胸部の一部を位置付けることであって、前記一部は、前記患者の胸壁に対して遠位にある、ことをさらに含む、請求項１５および１６のいずれか１項に記載の方法。
【請求項１８】
前記胸部を圧迫することの後に、前記膨張可能ジャケットを膨張させることをさらに含む、請求項１５〜１７のいずれか１項に記載の方法。
【請求項１９】
前記膨張可能ジャケットは、流体で膨張される、請求項１８に記載の方法。
【請求項２０】
前記第２の部分の高さは、前記第２の部分が前記第１の部分と比較して前記圧迫された胸部により近接するように、前記第１の部分の高さよりも高い、請求項１５〜１９のいずれか１項に記載の方法。
【請求項２１】
前記底壁は、前記圧迫された胸部に対して凹面部および凸面部を有する、請求項１５〜２０のいずれか１項に記載の方法。
【請求項２２】
前記凸面部は、前記第１の部分が前記第２の部分に衝合する場所である、請求項１５〜２１のいずれか１項に記載の方法。
【請求項２３】
前記第２の部分は、半径を有する曲面を含む、請求項１５〜２２のいずれか１項に記載の方法。
【請求項２４】
前記前壁は、垂直からわずかにずれた角度にある、請求項１５〜２３のいずれか１項に記載の方法。
【手続補正２】
【補正対象書類名】明細書
【補正対象項目名】００２０
【補正方法】変更
【補正の内容】
【００２０】
これらの例示的側面および実施形態のさらなる他の側面、実施形態、特徴、および利点は、下記に詳細に議論される。任意の特徴、利点、実装、実施形態、または実施例は、本明細書に開示される原理のうちの少なくとも１つと一致する任意の様式で、任意の側面または任意の実施形態の一部と組み合わせられ、または形成されてもよく、「実施形態」、「いくつかの実施形態」、「代替実施形態」、「種々の実施形態」、「一実施形態」、「実施例」、「特徴」、「利点」、「実装」、または同等物への参照は、必ずしも相互に排他的ではなく、説明される特定の特徴、実施形態、構造、または特徴が少なくとも１つの側面に含まれ得ることを示すことが意図される。本明細書におけるそのような用語の出現は、必ずしも全て、同一の実施形態を参照するわけではない。
本発明は、例えば、以下を提供する。
（項目１）
Ｘ線胸部撮像システムであって、
圧迫パドルであって、
撮像の間、患者の胸壁に隣接かつ対面するように構成される前壁と、
前記患者の胸壁から離れるように延在し、圧迫された胸部の上部の長さに隣接するように構成される底壁であって、中心部および２つの外側縁部を備え、前記中心部は、前記２つの外側縁部と同一平面上になく、前記圧迫パドルは、移動可能である、底壁と、
前記前壁に略直交している第１の軸と、
を備える、圧迫パドルを備える、システム。
（項目２）
前記２つの外側縁部は、基準平面を画定し、前記中心部は、第１の外側縁部から、前記中心部まで、第２の外側縁部まで延在する凹面表面を画定するように、前記基準平面の上方に配置される、項目１に記載のＸ線胸部撮像システム。
（項目３）
前記圧迫パドルはさらに、前記前壁に対向して配置される後壁を備え、前記底壁の中心部は、傾斜表面を備え、前記中心部と前記前壁に近接する前記基準平面との間の第１の距離は、中心部と前記後壁に近接する前記基準平面との間の第２の距離より大きい、前記項目のいずれか１項に記載のＸ線胸部撮像システム。
（項目４）
前記底壁の中心部は、前記前壁に近接する高点から前記第１の軸に沿って傾斜される、前記項目のいずれか１項に記載のＸ線胸部撮像システム。
（項目５）
胸部プラットフォームをさらに備え、
前記圧迫パドルは、
前記圧迫された胸部が前記圧迫パドルと前記胸部プラットフォームとの間に配置される圧迫位置と、
前記圧迫された胸部が前記圧迫パドルと前記胸部プラットフォームとの間に配置されない非圧迫位置とに配置されるように適合されており、ここで、前記底壁は、前記圧迫位置と非圧迫位置との両方において実質的に類似する輪郭を備える、前記項目のいずれか１項に記載のＸ線胸部撮像システム。
（項目６）
前記中心部と前記基準平面との間の距離が、前記圧迫位置と前記非圧迫位置との両方において実質的に同一である、項目４に記載のＸ線胸部撮像システム。
（項目７）
前記圧迫パドルの移動は、頭尾軸に沿ってのみ移動可能、横方向のみに移動可能、およびそれらの組み合わせから成る群から選択される、前記項目のいずれか１項に記載のＸ線胸部撮像システム。
（項目８）
撮像Ｘ線ビームを選択的に放出するＸ線源をさらに備え、前記Ｘ線源は、弧に沿って移動するように構成される、前記項目のいずれか１項に記載のＸ線胸部撮像システム。
（項目９）
前記Ｘ線胸部撮像システムは、胸部トモシンセシスＸ線胸部撮像システムである、前記項目のいずれか１項に記載のＸ線胸部撮像システム。
（項目１０）
Ｘ線胸部撮像システムであって、
前壁、底壁、および前記前壁と前記底壁との間の中間部を備える圧迫パドルであって、前記前壁は、撮像の間、患者の胸壁に隣接かつ対面するように構成され、前記底壁は、圧迫された胸部の上部の長さに隣接するように構成され、前記底壁は、前記患者の胸壁から離れるように延在し、前記中間部は、前記前壁および前記底壁に対して非同一平面上になく、前記圧迫パドルは、頭尾軸に沿って移動可能である、圧迫パドルと、
前記圧迫パドルに離脱可能に固着される非剛性ジャケットであって、前記圧迫パドルと前記患者との間に位置付けられる、非剛性ジャケットと、
を備える、Ｘ線胸部撮像システム。
（項目１１）
前記非剛性ジャケットは、ゲルパッドジャケットである、項目１０に記載のＸ線胸部撮像システム。
（項目１２）
前記中間部は、略平滑曲面の半径を備える、前記項目のいずれか１項に記載のＸ線胸部撮像システム。
（項目１３）
前記中間部の高さが、前記底壁の高さよりも高くはない、前記項目のいずれか１項に記載のＸ線胸部撮像システム。
（項目１４）
前記中間部の高さは、前記中間部が前記底壁に対して前記圧迫された胸部により近接するように、前記底壁の高さよりも高い、項目１０に記載のＸ線胸部撮像システム。
（項目１５）
前記底壁は、前記圧迫された胸部に対して凹面部および凸面部を有する、項目１０および１４のいずれか１項に記載のＸ線胸部撮像システム。
（項目１６）
前記凸面部は、前記底壁が前記中間部に衝合する場所である、項目１５に記載のＸ線胸部撮像システム。
（項目１７）
前記中間部は、ある半径を有する曲面を備える、項目１０および１４−１６のいずれか１項に記載のＸ線胸部撮像システム。
（項目１８）
前記前壁は、垂直からわずかにずれた角度にある、前記項目のいずれか１項に記載のＸ線胸部撮像システム。
（項目１９）
前記圧迫パドルの移動は、頭尾軸に沿ってのみ移動可能、横方向のみに移動可能、およびそれらの組み合わせから成る群から選択される、前記項目のいずれか１項に記載のＸ線胸部撮像システム。
（項目２０）
撮像Ｘ線ビームを選択的に放出するＸ線源をさらに備え、前記Ｘ線源は、弧に沿って移動するように構成される、前記項目のいずれか１項に記載のＸ線胸部撮像システム。
（項目２１）
前記Ｘ線胸部撮像システムは、トモシンセシスＸ線胸部撮像システムである、前記項目のいずれか１項に記載のＸ線胸部撮像システム。
（項目２２）
Ｘ線胸部撮像からのＸ線で患者の胸部を撮像する方法であって、
前記胸部の底部を胸部プラットフォーム上に支持するステップと、
圧迫パドルシステムを前記胸部の上部に適用させることによって、前記胸部を圧迫するステップであって、前記圧迫パドルシステムは、前壁および底壁を有するパドルと、前記パドルに結合される非剛性ジャケットとを有し、前記前壁は、撮像の間、患者の胸壁に隣接かつ対面するように構成され、前記底壁は、圧迫された胸部の上部の長さに隣接するように構成され、前記底壁は、前記患者の胸壁から離れるように延在し、前記底壁は、第２の部分が前記前壁と第１の部分との間にあるように、第１の部分および第２の部分を含み、前記第１の部分は、前記第２の部分に対して略同一平面上になく、前記圧迫パドルは、頭尾軸に沿ってのみ移動可能であり、前記非剛性ジャケットは、前記圧迫パドルと前記胸部との間に位置付けられる、ステップと、
を含む、方法。
（項目２３）
前記非剛性ジャケットは、膨張可能ジャケットである、項目２２に記載の方法。
（項目２４）
前記胸部を圧迫するステップの後に、前記圧迫された胸部の一部を位置付けるステップであって、前記一部は、前記患者の胸壁に対して遠位にある、ステップをさらに含む、項目２２および２３のいずれか１項に記載の方法。
（項目２５）
前記胸部を圧迫するステップの後に、前記膨張可能ジャケットを膨張させるステップをさらに含む、項目２２−２４のいずれか１項に記載の方法。
（項目２６）
前記膨張可能ジャケットは、流体で膨張される、項目２５に記載の方法。
（項目２７）
弧にわたってＸ線源を移動させるステップと、弧の移動の間に、前記圧迫された胸部を複数のＸ線ビームに暴露するステップとをさらに含む、項目２２−２６のいずれか１項に記載の方法。
（項目２８）
前記第２の部分の高さは、前記第２の部分が前記第１の部分に対して前記圧迫された胸部により近接するように、前記第１の部分の高さよりも高い、項目２２−２７のいずれか１項に記載の方法。
（項目２９）
前記底壁は、前記圧迫された胸部に対して凹面部および凸面部を有する、項目２２−２８のいずれか１項に記載の方法。
（項目３０）
前記凸面部は、前記第１の部分が前記第２の部分に衝合する場所である、項目２２−２９のいずれか１項に記載の方法。
（項目３１）
前記第２の部分は、半径を有する曲面を含む、項目２２−３０のいずれか１項に記載の方法。
（項目３２）
前記前壁は、垂直からわずかにずれた角度にある、項目２２−３１のいずれか１項に記載の方法。
（項目３３）
前記胸部を圧迫する前記圧迫パドルの移動は、頭尾軸に沿ってのみ移動可能、横方向のみに移動可能、およびそれらの組み合わせから成る群から選択される、項目２２−３３のいずれか１項に記載の方法。